(57)【特許請求の範囲】
【請求項１】
光情報記録媒体にデータを記録し、光情報記録媒体からデータを再生する光情報記録再生方法において、
前記光情報記録媒体に記録するデータを記憶部に記憶するステップと、
記録の前工程として前記光情報記録媒体の第１のキュア単位領域にプリキュアを実施するステップと、
前記プリキュアを行った前記第１のキュア単位領域に、前記記憶部に記憶したデータを記録するステップと、
記録の後工程として、データが記録された前記第１のキュア単位領域に、ポストキュアを実施するステップと、
前記ポストキュアが実施された前記第１のキュア単位領域のデータを正しく読み出せるかどうか確認するベリファイを実施するステップと、
前記ベリファイによりベリファイエラーのデータが前記第１のキュア単位領域で検出された場合、前記ベリファイエラーのリトライデータを、前記第１のキュア単位領域とは異なる前記光情報記録媒体上の第２のキュア単位領域に記録するステップと、
を具備し、
前記ベリファイエラーのリトライデータは、前記第２のキュア単位の複数箇所に記録されることを特徴とする光情報記録再生方法。
【請求項２】
請求項１に記載の光情報記録再生方法において、
前記複数箇所に記録されたデータのうち、ベリファイエラーにならなかったデータが１つ選択され、該選択されたデータが交替データとして登録されることを特徴とする光情報記録再生方法。
【請求項３】
光情報記録媒体にデータを記録し、光情報記録媒体からデータを再生する光情報記録再生方法において、
前記光情報記録媒体に記録するデータを記憶部に記憶するステップと、
記録の前工程として前記光情報記録媒体の第１のキュア単位領域にプリキュアを実施するステップと、
前記プリキュアを行った前記第１のキュア単位領域に、前記記憶部に記憶したデータを記録するステップと、
記録の後工程として、データが記録された前記第１のキュア単位領域に、ポストキュアを実施するステップと、
前記ポストキュアが実施された前記第１のキュア単位領域のデータを正しく読み出せるかどうか確認するベリファイを実施するステップと、
前記ベリファイによりベリファイエラーのデータが前記第１のキュア単位領域で検出された場合、前記ベリファイエラーのリトライデータを、前記第１のキュア単位領域とは異なる前記光情報記録媒体上の第２のキュア単位領域に記録するステップと、
を具備し、
前記ベリファイエラーのリトライデータは、記録するデータに割り込ませて、前記第２のキュア単位領域に記録され、
キュアを実施するキュア容量に対して、記録するデータが足りない場合は、前記記憶部上のデータをコピーして前記キュア容量を満たすように前記記憶部にペーストし、該記憶部に記憶されたデータが前記光情報記録媒体に記録されることを特徴とする光情報記録再生方法。
【請求項４】
光情報記録媒体にデータを記録し、光情報記録媒体からデータを再生する光情報記録再生方法において、
前記光情報記録媒体に記録するデータを記憶部に記憶するステップと、
記録の前工程として前記光情報記録媒体の第１のキュア単位領域にプリキュアを実施するステップと、
前記プリキュアを行った前記第１のキュア単位領域に、前記記憶部に記憶したデータを記録するステップと、
記録の後工程として、データが記録された前記第１のキュア単位領域に、ポストキュアを実施するステップと、
前記ポストキュアが実施された前記第１のキュア単位領域のデータを正しく読み出せるかどうか確認するベリファイを実施するステップと、
前記ベリファイによりベリファイエラーのデータが前記第１のキュア単位領域で検出された場合、前記ベリファイエラーのリトライデータを、前記第１のキュア単位領域とは異なる前記光情報記録媒体上の第２のキュア単位領域に記録するステップと、
を具備し、
前記ベリファイエラーのリトライデータは、記録するデータに割り込ませて、前記第２のキュア単位領域に記録され、前記ベリファイエラーのリトライデータが前記第２のキュア単位に記録される数は、前記リトライデータのエラーの状態により切り替わることを特徴とする光情報記録再生方法。
【請求項５】
光情報記録媒体にデータを記録し、光情報記録媒体からデータを再生する光情報記録再生方法において、
前記光情報記録媒体に記録するデータを記憶部に記憶するステップと、
記録の前工程として前記光情報記録媒体の第１のキュア単位領域にプリキュアを実施するステップと、
前記プリキュアを行った前記第１のキュア単位領域に、前記記憶部に記憶したデータを記録するステップと、
記録の後工程として、データが記録された前記第１のキュア単位領域に、ポストキュアを実施するステップと、
前記ポストキュアが実施された前記第１のキュア単位領域のデータを正しく読み出せるかどうか確認するベリファイを実施するステップと、
前記ベリファイによりベリファイエラーのデータが前記第１のキュア単位領域で検出された場合、前記ベリファイエラーになったデータが前記記憶部に蓄積され、前記記録部により前記ベリファイエラーのリトライデータをまとめて、前記第１のキュア単位領域とは異なる前記光情報記録媒体上の第２のキュア単位領域に記録するステップと、
を具備する、光情報記録再生方法。
【請求項６】
請求項５に記載の光情報記録再生方法において、
ユーザデータの記録が終了したときに、前記リトライデータがまとめて前記第２のキュア単位領域に記録されることを特徴とする光情報記録再生方法。
【請求項７】
請求項５に記載の光情報記録再生方法において、
前記記憶部にベリファイエラーになったデータがキュア容量分溜まったら、リトライデータは、まとめて前記第２のキュア単位に記録されることを特徴とする光情報記録再生方法。
【請求項８】
光情報記録媒体にデータを記録し、光情報記録媒体からデータを再生する光情報記録再生方法において、
前記光情報記録媒体に記録するデータを記憶部に記憶するステップと、
記録の前工程として前記光情報記録媒体の第１のキュア単位領域にプリキュアを実施するステップと、
前記プリキュアを行った前記第１のキュア単位領域に、前記記憶部に記憶したデータを記録するステップと、
記録の後工程として、データが記録された前記第１のキュア単位領域に、ポストキュアを実施するステップと、
前記ポストキュアが実施された前記第１のキュア単位領域のデータを正しく読み出せるかどうか確認するベリファイを実施するステップと、
前記ベリファイによりベリファイエラーのデータが前記第１のキュア単位領域で検出された場合、前記ベリファイエラーのリトライデータを、前記第１のキュア単位領域とは異なる前記光情報記録媒体上の第２のキュア単位領域に記録するステップと、
を具備し、
前記ベリファイエラーのリトライデータはページ単位であり、前記ベリファイエラーのリトライデータは、記録するデータに割り込ませて、前記第２のキュア単位領域に記録され、
前記第１のキュア単位にベリファイエラーが複数の異なる箇所で検出された場合、前記複数の異なる箇所におけるページ単位のリトライデータは、一つのブックにまとめて前記第２のキュア単位に記録されることを特徴とする光情報記録再生方法。
【請求項９】
複数の光情報記録再生装置を備えるデータライブラリ装置において、
前記光情報記録再生装置は、
光情報記録媒体に記録するデータを記憶する記憶部と、
記録の前工程として前記光情報記録媒体にプリキュアを実施し、記録の後工程として前記光情報記録媒体にポストキュアを行うキュア部と、
前記プリキュアを行った領域に前記記憶部に記憶したデータを記録する記録部と、
記録したデータを正しく読み出せるかどうか確認するベリファイ部と、を備え、
前記複数の光情報記録再生装置のうちの第１の光情報記録再生装置において、第１の光情報記録媒体にベリファイエラーが検出された場合、前記ベリファイエラーのリトライデータを、前記第１の光情報記録再生装置と異なる第２の光情報記録再生装置により、前記第１の光情報記録媒体と異なる光情報記録媒体の複数箇所に記録することを特徴とするデータライブラリ装置。
【請求項１０】
光情報記録媒体にデータを記録し、光情報記録媒体からデータを再生する光情報記録再生装置において、
前記光情報記録媒体に記録するデータを記憶する記憶部と、
記録の前工程として前記光情報記録媒体にプリキュアを実施し、記録の後工程として前記光情報記録媒体にポストキュアを行うキュア部と、
前記プリキュアを行った領域に前記記憶部に記憶したデータを記録する記録部と、を備え、
前記キュア部によりキュアを実施するキュア容量に対して、記録するデータが足りない場合は、前記記憶部上のデータをコピーして前記キュア容量を満たすように前記記憶部にペーストし、ページ単位で発生したベリファイエラーのリトライデータがブック単位に満たない場合は、ブック単位の不足分にリトライデータをコピーして、前記記録部により前記光情報記録媒体に記録することを特徴とする光情報記録再生装置。
【請求項１１】
複数の光情報記録再生装置を備えるデータライブラリ装置において、
光情報記録再生装置は、
光情報記録媒体に記録するデータを記憶する記憶部と、
記録の前工程として前記光情報記録媒体にプリキュアを実施し、記録の後工程として前記光情報記録媒体にポストキュアを行うキュア部と、
前記プリキュアを行った領域に前記記憶部に記憶したデータを記録する記録部と、
記録したデータを正しく読み出せるかどうか確認するベリファイ部と、を備え、
前記複数の光情報記録再生装置のうちの第１の光情報記録再生装置において、第１の光情報記録媒体にベリファイエラーが検出された場合、前記ベリファイエラーになったデータをキュア容量に達するまで蓄積し、キュア容量に達したデータをリトライデータとして、前記第１の光情報記録再生装置と異なる第２の光情報記録再生装置により、前記第１の光情報記録媒体と異なる第２の光情報記録媒体に記録することを特徴とするデータライブラリ装置。
【請求項１２】
請求項１１に記載のデータライブラリ装置において、
前記複数の光情報記録再生装置からベリファイエラーになったデータをリトライデータとして集め、キュア容量に達したリトライデータを前記第２の光情報記録媒体に記録することを特徴とするデータライブラリ装置。
【請求項１３】
請求項１１または１２に記載のデータライブラリ装置において、
前記複数の光情報記録再生装置のうちの第１の光情報記録再生装置において、第１の光情報記録媒体にベリファイエラーが検出された場合に、前記複数の光情報記録再生装置のうちの少なくとも一台を、リトライデータを記録するための専用の光情報記録再生装置として使用することを特徴とするデータライブラリ装置。
【発明の詳細な説明】
【技術分野】
【０００１】
本発明は、ホログラフィを用いて情報を記録する光情報記録再生装置および光情報記録再生方法に関するものである。
【背景技術】
【０００２】
次世代のストレージ技術に関する研究が行われる中、ホログラフィを利用してデジタル情報を記録するホログラム記録技術が注目を集めている。【０００３】
ホログラム記録技術とは、空間光変調器により２次元的に変調されたページデータの情報を有する信号光と、参照光とを記録媒体の内部で重ね合わせ、その時に生じる干渉縞パターンによって記録媒体内に屈折率変調を生じさせることで情報を記録する技術である。また、情報の再生時には、記録時に用いた参照光を同じ配置で記録媒体に照射すると、記録媒体中に記録されているホログラムが回折格子のように作用して回折光を生じる。この回折光が記録した信号光と位相情報を含めて同一の光として再生される。【０００４】
再生された信号光は、ＣＭＯＳやＣＣＤなどの光検出器を用いて２次元的に高速に検出される。このようにホログラム記録では、１つのホログラムで２次元的な情報を同時に記録／再生され、また同じ場所に複数のページデータを重ね書きすることができるため、大容量かつ高速な情報の記録再生に有効である。【０００５】
特開２００９−８７４４７号公報（特許文献１）には「データを記録したあとは、必要に応じてデータをベリファイし（Ｓ２７）、ディスクキュア光学系１３から出射する光ビームを用いてポストキュアを行う（Ｓ２８）。」と記載されている。
【先行技術文献】
【特許文献】
【０００６】
【特許文献１】特開２００９−８７４４７号公報
【発明の概要】
【発明が解決しようとする課題】
【０００７】
特許文献１は、上記記載にとどまり、ベリファイの具体的構成については一切開示が無い。【０００８】
そこで、本発明の目的は、効率よくベリファイすることができる光情報記録再生装置および光情報記録再生方法を提供することである。
【課題を解決するための手段】
【０００９】
上記課題を解決するために、例えば特許請求の範囲に記載の構成を採用する。【００１０】
本願は上記課題を解決する手段を複数含んでいるが、その一例を挙げるならば、光情報記録媒体にデータを記録し、光情報記録媒体からデータを再生する光情報記録再生方法において、前記光情報記録媒体に記録するデータを記憶部に記憶するステップと、記録の前工程として前記光情報記録媒体の第１のキュア単位領域にプリキュアを実施するステップと、前記プリキュアを行った前記第１のキュア単位領域に、前記記憶部に記憶したデータを記録するステップと、記録の後工程として、データが記録された前記第１のキュア単位領域に、ポストキュアを実施するステップと、前記ポストキュアが実施された前記第１のキュア単位領域のデータを正しく読み出せるかどうか確認するベリファイを実施するステップと、前記ベリファイによりベリファイエラーのデータが前記第１のキュア単位領域で検出された場合、前記ベリファイエラーのリトライデータを、前記第１のキュア単位領域とは異なる前記光情報記録媒体上の第２のキュア単位領域に記録するステップと、を具備することを特徴とする。
【発明の効果】
【００１１】
本発明によれば、効率よくベリファイすることができる。【００１２】
上記した以外の課題、構成及び効果は、以下の実施形態の説明により明らかにされる。
【図面の簡単な説明】
【００１３】
【図１】第１の実施例の光情報記録再生装置の構成を示すブロック図。
【図２】第１の実施例の光情報記録再生装置の信号処理回路の構成を示すブロック図。
【図３】第１の実施例の光情報記録再生装置の動作を説明するフローチャート。
【図４】第１の実施例の光情報記録再生装置の記録処理動作を説明するフローチャート。
【図５】第１の実施例の光情報記録媒体上のキュアおよびブックを示す説明図。
【図６】第１の実施例の光情報記録再生装置のデータ記録処理とベリファイ処理の動作を示すタイミングチャート。
【図７】第１の実施例の光情報記録再生装置のメモリマップ。
【図８】第２の実施例の光情報記録再生装置のデータ記録処理の動作を示すフローチャート。
【図９】第２の実施例の光情報記録媒体上のキュアおよびブックを示す説明図である。
【図１０】第２の実施例の光情報記録媒体のデータ記録処理とベリファイ処理の動作を示すタイミングチャートである。
【図１１】第３の実施例の光情報記録再生装置のデータ記録処理の動作を示すフローチャート。
【図１２】第４の実施例の光情報記録再生装置のデータ記録処理の動作を示すフローチャート。
【図１３】第５の実施例の光情報記録再生装置のデータ記録処理の動作を示すフローチャート。
【図１４】光情報記録媒体上の管理領域を示す説明図。
【図１５】第１の実施例の光情報記録再生装置のメモリマップ。
【図１６】第６の実施例の光情報記録媒体上のキュアおよびブックを示す説明図。
【図１７】第７の実施例の光情報記録再生装置の構成を示すブロック図。
【発明を実施するための形態】
【００１４】
以下、図面を用いて実施例を説明する。
【実施例１】
【００１５】
本発明の実施例の光情報記録再生装置は、追記型の光情報記録媒体（以下、単に、光情報記録媒体という）に信号光と参照光を互いに重ね合うように入射し、干渉縞パターンを形成して情報を記録する。この時、光情報記録媒体に入射する参照光の入射角度を変化させることにより、角度多重による記録が可能である。【００１６】
以降、同じ領域に参照光角度を変えて記録されたホログラムにおいて、１つ１つの参照光角度に対応したホログラムをページと呼び、同領域に角度多重されたページの集合をブックと呼ぶことにする。【００１７】
また、光情報記録媒体内の所望の位置に情報を記録する際、所望位置に参照光と信号光を照射する前に予め所定の光ビームを照射する、プリキュアと呼ばれる前工程が必要である。所望の位置に情報を記録した後には、該所望の位置に追記不可能とするために所定の光ビームを照射する、ポストキュアと呼ばれる後工程が必要である。ここで、プリキュアとポストキュアに用いる光ビームを出射するレーザー光源と信号光・参照光を出射するレーザー光源は異なるものとする。なお、プリキュア・ポストキュアと信号光・参照光に用いるレーザー光源を同一とすることが可能であれば、そのような構成であってもよい。【００１８】
また、プリキュアとポストキュアには所定の処理時間がかかるため、高速化を図るには複数のブックに対してまとめて処理する必要がある。【００１９】
ここでは、複数のブック領域に対して行う１回のプリキュアとポストキュアの領域をキュア単位領域と呼び、そのデータ容量をキュア容量と呼ぶことにする。１回のプリキュア、ポストキュアで記録できるデータ容量は、例えば１００ブックで構成された２ＧＢｙｔｅであり、これがキュア容量である。１ブックは例えば３００ページで構成された２０ＭＢｙｔｅである。【００２０】
図１は第１の実施例の光情報記録再生装置の構成を示すブロック図である。【００２１】
光情報記録再生装置１００は、外部制御装置１０８と接続されており、外部制御装置１０８から入力したデータを光情報記録媒体１０１に記録する。また、光情報記録媒体１０１から再生したデータを外部制御装置１０８に出力する。【００２２】
光情報記録媒体１０１は回転モータ１１１によって回転可能な構成となっている。ピックアップ１０２、参照光光学系１０３、キュア光学系１０４は半径方向に移動可能な構成となっているため、光情報記録媒体１０１全面に渡り、ホログラフィを用いて情報を記録することができる。【００２３】
情報を記録するためには、光情報記録媒体１０１に信号光と参照光を照射する必要があり、ピックアップ１０２は、光情報記録媒体１０１に信号光を照射し、参照光光学系１０３は、参照光を照射する。【００２４】
この際、記録データは信号処理回路１０５を介してピックアップ１０２内の空間光変調器に送り込まれ、信号光は空間光変調器によって変調される。【００２５】
また、ホログラフィから情報を再生するためには、光情報記録媒体１０１に参照光を照射し、再生光を検出する必要があり、参照光光学系１０３は、光情報記録媒体１０１に参照光を照射し、ピックアップ１０２は、その際に再生される再生光をピックアップ１０２内の光検出器によって検出し、信号処理回路１０５に送る。【００２６】
更に、ピックアップ１０２は、参照光角度のずれ量を検出する機構によりずれ量を検出し、サーボ制御回路１１５に送る。【００２７】
キュア光学系１０４は、光情報記録媒体１０１のプリキュアおよびポストキュアに用いる光ビームを生成する。【００２８】
信号処理回路１０５は、インタフェース回路１０７を介して外部制御装置１０８から送られたデータをメモリ１０６に送り、複数のデータ列に分割し、再生時にエラー検出が行えるように各データ列にＣＲＣ（Ｃｙｃｌｉｃ  Ｒｅｄｕｎｄａｎｃｙ  Ｃｈｅｃｋ）等の誤り検出符号を付加し、オンピクセル数とオフピクセル数をほぼ等しくし、同一パターンの繰り返しを防ぐことを目的にデータ列に擬似乱数データ列を加えるスクランブルを施した後、再生時にエラー訂正が行えるようにリード・ソロモン符号等の誤り訂正符号を付加する。なお、本発明は、ＣＲＣやリード・ソロモン符号の場合に限られない。【００２９】
そして、このデータ列をＭ×Ｎの２次元データに変換し、それを１ページデータ分繰返すことで１ページ分の２次元データを構成する。このように構成した２次元データに対して再生時の画像位置検出や画像歪補正での基準となるマーカーを付加し、ピックアップ１０２に送る。【００３０】
あるいは信号処理回路１０５は、ピックアップ１０２から検出した画像データを受け取り、この画像データに含まれるマーカーを基準に画像位置を検出し、画像の傾き・倍率・ディストーションなどの歪みを補正した後、２値化処理を行い、マーカーを除去することで１ページ分の２次元データを取得し、メモリ１０６に格納する。このようにして得られた２次元データを複数のデータ列に変換した後、誤り訂正処理を行い、スクランブルを解き、ＣＲＣによる誤り検出処理を行って、インタフェース回路１０７を介して外部制御装置１０８に送る。【００３１】
メモリ１０６はデータを一時的に記憶する記憶手段であり、信号処理回路１０５に制御されて、バッファメモリ、誤り訂正符号付加用メモリ、誤り訂正用メモリ等として使用される。メモリ１０６は例えばＤＲＡＭ（Ｄｙｎａｍｉｃ  Ｒａｎｄｏｍ  Ａｃｃｅｓｓ  Ｍｅｍｏｒｙ）、ＳＲＡＭ（ＳｔａｔｉｃＲａｎｄｏｍ  Ａｃｃｅｓｓ  Ｍｅｍｏｒｙ）の他、ＳＳＤ（Ｓｏｌｉｄ  Ｓｔａｔｅ  Ｄｒｉｖｅ）等、データを保持できるものであれば良く、ＨＤＤ（Ｈａｒｄ  Ｄｉｓｋ  Ｄｒｉｖｅ）でも良い。【００３２】
インタフェース回路１０７は外部制御装置１０８からの指示をコントローラ１１２に伝える。また、信号処理回路１０５から送られたデータを外部制御装置１０８に送る。また、外部制御装置１０８から送られた記録再生指示を信号処理回路１０５に送る。インタフェース回路１０７は、例えばＳＡＴＡ（Ｓｅｒｉａｌ  Ａｄｖａｎｃｅｄ  Ｔｅｃｈｎｏｌｏｇｙ  Ａｔｔａｃｈｍｅｎｔ）、ＳＡＳ（Ｓｅｒｉａｌ  Ａｔｔａｃｈｅｄ  ＳＣＳＩ）、その他の転送方式に準拠したデータ転送を行う。【００３３】
外部制御装置１０８は光情報記録再生装置１００にデータを送り、記録を指示する。また、光情報記録再生装置１００に再生を指示し、データを受け取る。【００３４】
ディスク回転角度検出用光学系１０９は、光情報記録媒体１０１の回転角度を検出し、モータ制御回路１１０に送る。【００３５】
モータ制御回路１１０は、光情報記録媒体１０１の回転角度を調整する。光情報記録媒体１０１を所定の回転角度に調整する場合は、ディスク回転角度検出用光学系１０９によって回転角度に応じた信号を検出し、検出された信号を用いてモータ制御回路１１０により回転モータ１１１を制御することにより、光情報記録媒体１０１の回転角度をコントローラ１１２の指示どおりに調整する。【００３６】
回転モータ１１１はモータ制御回路１１０に制御されて、光情報記録媒体１０１を回転させる。【００３７】
コントローラ１１２は光情報記録再生装置１００の各部を制御し、光情報記録媒体１０１のデータ記録処理、データ再生処理等を行う。コントローラ１１２は例えばＣＰＵ（Ｃｅｎｔｒａｌ  Ｐｒｏｃｅｓｓｉｎｇ  Ｕｎｉｔ）により構成する他、任意の制御回路や、ＡＳＩＣ等の専用回路を用いてもよい。【００３８】
光源駆動回路１１３は、所定の光源駆動電流をピックアップ１０２、参照光光学系１０３、キュア光学系１０４内の光源に供給し、各々の光源からは所定の光量で光ビームが発光される。【００３９】
ピックアップ１０２、参照光光学系１０３、そして、キュア光学系１０４には、光情報記録媒体１０１の半径方向に位置をスライドする機構が設けられており、アクセス制御回路１１４は、コントローラ１１２の指示によりこれらの位置制御を行う。【００４０】
ホログラフィの角度多重の原理を利用した記録技術は、参照光角度のずれに対する許容誤差が極めて小さくなる傾向があるため、サーボ制御回路１１５は、ピックアップ１０２からの参照光角度のずれ量を入力し、ピックアップ１０２のずれ量を補正する。【００４１】
なお、ピックアップ１０２、参照光光学系１０３、キュア光学系１０４、ディスク回転角度検出用光学系１０９は、いくつかの光学系構成または全ての光学系構成をひとつに纏めて簡素化しても構わない。【００４２】
次に、光情報記録媒体１０１にデータを記録する場合の光情報記録再生装置１００の動作を説明する。光情報記録再生装置１００に光情報記録媒体１０１が装着されると、コントローラ１１２は各部の調整処理を行い、モータ制御回路１１０、アクセス制御回路１１４により、ピックアップ１０２、参照光光学系１０３を所定の位置に移動し、ピックアップ１０２、信号処理回路１０５を介して光情報記録媒体１０１から管理情報を読み出し、メモリ１０６に格納する。【００４３】
そして、モータ制御回路１１０、アクセス制御回路１１４により、ピックアップ１０２、参照光光学系１０３、キュア光学系１０４を所望の位置に移動する。【００４４】
そして、外部制御装置１０８から光情報記録再生装置１００にデータが送られると、インタフェース回路１０７でデータを受け取り、メモリ１０６に格納し、信号処理回路１０５によりＣＲＣ付加、スクランブル、誤り訂正符号付加等を行う。【００４５】
そして、モータ制御回路１１０、アクセス制御回路１１４により、ピックアップ１０２、参照光光学系１０３を所望の位置に移動し、キュア光学系１０４にてプリキュアを行い、メモリ信号処理回路１０５によりメモリ１０６からデータを読み出し、マーカーを付加してピックアップ１０２に送り、光情報記録媒体１０１に記録する。そして、キュア光学系１０４にてポストキュアを行う。【００４６】
ベリファイすなわち記録したデータを正しく読み出せるかどうか確認する場合は、光情報記録媒体１０１から検出した画像データを信号処理回路１０５に送り、マーカーを基準に画像位置を検出し、歪みを補正した後、２値化処理を行い、２次元データを取得し、メモリ１０６に格納する。そして、複数のデータ列に変換した後、誤り訂正処理を行い、スクランブルを解き、ＣＲＣによる誤り検出処理を行う。ここで誤りが検出された場合はコントローラ１１２にベリファイエラーを伝え、コントローラ１１２は各部を制御してリトライを行う。リトライの際には不一致となったデータを次のキュアの先頭個所に記録する。【００４７】
あるいは、信号処理回路１０５により記録時のデータとベリファイ時のデータを比較し、不一致の場合にコントローラ１１２にベリファイエラーを伝える。なお、この場合はベリファイにてメモリ１０６にデータを書き込む際には、記録時に当該データを書き込んだ箇所とは違う箇所に書き込む必要がある。【００４８】
そして、リトライしたデータのベリファイを行い、ベリファイエラーでなければ交替データとして管理情報に登録する。ベリファイエラーであれば再びリトライを行う。【００４９】
次に、光情報記録媒体１０１からデータを再生する場合の光情報記録再生装置１００の動作を説明する。光情報記録再生装置１００に光情報記録媒体１０１が装着されると、コントローラ１１２は各部の調整処理を行い、モータ制御回路１１０、アクセス制御回路１１４により、ピックアップ１０２、参照光光学系１０３を所定の位置に移動し、ピックアップ１０２、信号処理回路１０５を介して光情報記録媒体１０１から管理情報を読み出し、メモリ１０６に格納する。【００５０】
そして、モータ制御回路１１０、アクセス制御回路１１４により、ピックアップ１０２、参照光光学系１０３を所望の位置に移動し、光情報記録媒体１０１から再生したデータをメモリ１０６に書き込み、信号処理回路１０５により誤り訂正処理を行い、スクランブルを解き、誤り検出処理を行う。【００５１】
そして、メモリ１０６からデータを読み出してインタフェース回路１０７を介して外部制御装置１０８に送る。【００５２】
図２は、第１の実施例の光情報記録再生装置の信号処理回路の構成を示すブロック図である。【００５３】
信号処理回路１０５は、コントローラ１１２に制御され、インタフェース回路１０７から送られたデータをメモリ１０６に格納し、メモリ上で各種信号処理を行い、ピックアップ１０２に送る。【００５４】
あるいは、ピックアップ１０２から送られた画像データをメモリ１０６に格納し、メモリ上で各種信号処理を行い、データを抽出してインタフェース回路１０７に送る。【００５５】
メモリ制御回路２００は、各回路からのデータ入出力要求に応じて、メモリ１０６に対するデータ書き込み、読み出しを行う。【００５６】
ＣＲＣ演算回路２０１は、メモリ１０６上のデータ列のＣＲＣを演算して付加する。あるいは、データ列のＣＲＣを演算してエラーを検出する。【００５７】
スクランブル回路２０２は、メモリ１０６上のデータ列にスクランブルを行う。あるいは、データ列のスクランブルを解く。【００５８】
誤り訂正および誤り訂正符号付加回路２０３は、メモリ１０６上で誤り訂正符号を付加する。あるいは、メモリ１０６上に格納されたデータに含まれる誤りを訂正する。【００５９】
リトライデータ作成回路２０４は、メモリ１０６上の或る場所のデータをコピーして、次の場所にペーストするためにペースト先のデータを後ろにシフトした後、ペーストを行う。詳細は後述する。【００６０】
画像位置検出および歪み補正回路２０５は、メモリ１０６に格納された画像データ内からマーカーを検出して有効データ範囲を抽出する制御を行い、検出されたマーカーを用いて画像の傾き・倍率・ディストーションなどの歪み補正を行い、画像データを期待される２次元データのサイズに変換する。【００６１】
２値化回路２０６は、サイズ変換された２次元データを構成する複数ビットの各ビットデータを、“０”、“１”に２値化し、メモリ１０６上に再生データの出力の並びでデータを格納する。【００６２】
空間光変調器インタフェース回路２０７は、メモリ１０６から誤り訂正符号を付加したデータを２次元データの並び順で読み出し、再生時の基準となるマーカーを付加した後、ピックアップ１０２内の空間光変調器に２次元データを出力する。【００６３】
光検出器インタフェース回路２０８は、ピックアップ１０２内の光検出器から画像データを入力し、メモリ１０６に書き込む。【００６４】
なお、図示しないが、各回路はコントローラ１１２により制御される。あるいは信号処理回路１０５内に専用コントローラを備えて各回路を制御してもよい。【００６５】
次に、光情報記録媒体１０１にデータを記録する場合の信号処理回路１０５の動作を説明する。【００６６】
信号処理回路１０５は、インタフェース回路１０７から送られたデータを、メモリ制御回路２００を介してメモリ１０６に格納し、複数のデータ列に分割する。そして、再生時にエラー検出が行えるようにＣＲＣ演算回路２０１により各データ列にＣＲＣを付加し、オンピクセル数とオフピクセル数をほぼ等しくし、同一パターンの繰り返しを防ぐことを目的にスクランブル回路２０２によりデータ列に擬似乱数データ列を加えるスクランブルを施した後、再生時にエラー訂正が行えるように誤り訂正および誤り訂正符号付加回路２０３によりリード・ソロモン符号等の誤り訂正符号を付加する。そして、このデータ列をメモリ制御回路２００によりＭ×Ｎの２次元データに変換し、それを１ページデータ分繰返すことで１ページ分の２次元データを構成する。このように構成した２次元データに対して空間光変調器インタフェース回路２０７により再生時の画像位置検出や画像歪補正での基準となるマーカーを付加し、ピックアップ１０２の空間光変調器に送る。【００６７】
インタフェース回路１０７から送られたデータがキュア容量に満たない場合は、リトライデータ作成回路２０４により当該データをコピーし、キュア容量分になるようにペーストする。インタフェース回路１０７から送られたデータがキュア容量以上であっても、キュア容量に満たない余りデータが発生した場合は同様に、リトライデータ作成回路２０４により当該データをコピーし、キュア容量分になるようにペーストする。【００６８】
ベリファイを行う場合は、信号処理回路１０５は、ピックアップ１０２の光検出器から検出した画像データを光検出器インタフェース回路２０８にて受け取り、メモリ制御回路２００を介してメモリ１０６に格納し、画像位置検出および歪み補正回路２０５によりこの画像データに含まれるマーカーを検出して有効データ範囲を抽出し、検出されたマーカーを用いて画像の傾き・倍率・ディストーションなどの歪み補正を行い、画像データを期待される２次元データのサイズに変換する。そして、サイズ変換された２次元データを構成する複数ビットの各ビットデータを、２値化回路２０６により２値化し、メモリ１０６上に再生データの出力の並びでデータを格納する制御を行う。このようにして得られたデータ列に対して、誤り訂正および誤り訂正符号付加回路２０３により誤り訂正処理を行い、スクランブル回路２０２によりスクランブルを解き、ＣＲＣ演算回路２０１により誤り検出処理を行う。【００６９】
誤り訂正処理、ＣＲＣ演算処理等で誤りが検出された場合は、リトライデータ作成回路２０４により当該データの元データをコピーし、次に記録するキュアの先頭に割り込ませてペーストする。その際に、次に記録するキュアのデータはその分後ろにシフトさせる。【００７０】
次に、光情報記録媒体１０１からデータを再生する場合の信号処理回路１０５の動作を説明する。【００７１】
信号処理回路１０５は、ピックアップ１０２の光検出器から検出した画像データを光検出器インタフェース回路２０９にて受け取り、メモリ制御回路２００を介してメモリ１０６に格納し、画像位置検出および歪み補正回路２０５によりこの画像データに含まれるマーカーを検出して有効データ範囲を抽出し、検出されたマーカーを用いて画像の傾き・倍率・ディストーションなどの歪み補正を行い、画像データを期待される２次元データのサイズに変換する。そして、サイズ変換された２次元データを構成する複数ビットの各ビットデータを、２値化回路２０６により２値化し、メモリ１０６上に再生データの出力の並びでデータを格納する制御を行う。このようにして得られたデータ列に対して、誤り訂正および誤り訂正符号付加回路２０３により誤り訂正処理を行い、スクランブル回路２０２によりスクランブルを解き、ＣＲＣ演算回路２０１により誤り検出処理を行って、インタフェース回路１０７に送る。【００７２】
図３は、第１の実施例の光情報記録再生装置の動作を示すフローチャートである。【００７３】
ステップＳ３０１において光情報記録再生装置に光情報記録媒体が装着されたら、ステップＳ３０２において調整処理を行い、ステップＳ３０３において管理情報を読み出す。【００７４】
次にステップＳ３０４において外部制御装置からデータ記録指示を受けたら、ステップＳ３０５においてデータ記録処理を行う。あるいはステップＳ３０６において外部制御装置からデータ再生指示を受けたら、ステップＳ３０７においてデータ再生処理を行う。あるいはステップＳ３０８において外部制御装置からその他の指示を受けたら、ステップＳ３０９においてその他の処理を行う。【００７５】
ステップＳ３１０において光情報記録媒体の排出指示を受けたら、ステップＳ３１１において光情報記録媒体に管理情報を書き込む。管理情報には交替情報が含まれ、欠陥やベリファイエラー等により交替したデータがある場合はここに交替情報を書き込む。【００７６】
次にステップＳ３１２において光情報記録媒体を排出して処理を終了する。【００７７】
図４は、第１の実施例の光情報記録再生装置のデータ記録処理の動作を示すフローチャートである。なお、下記フローは例えば、コントローラ１１２の指示により動作するものとする。以降のフローチャートについても同様である。【００７８】
まずステップＳ４０１において光情報記録媒体に記録するデータがキュア容量以上あるかどうかを判定し、キュア容量以上ある場合は、ステップＳ４０２においてメモリ上にキュア容量分のデータを配置して誤り訂正符号ＥＣＣ（Ｅｒｒｏｒ  Ｃｏｒｒｅｃｔｉｎｇ  Ｃｏｄｅ）を付加する。なお、メモリには予め光情報記録媒体に記録するデータを用意しておく。【００７９】
ステップＳ４０１において光情報記録媒体に記録するデータがキュア容量に満たない場合は、ステップＳ４０３においてメモリ上にデータを配置し、余った領域には前記データをコピーペーストしてキュア容量分のデータを作成し、誤り訂正符号ＥＣＣを付加する。これにより、データの信頼性が向上する。なお、本発明は、これに限られず、前記余った領域にダミーデータを記録してもよい。【００８０】
次にステップＳ４０４において、光情報記録媒体の所望の位置にデータを記録するために、モータの回転制御およびピックアップやキュア光学系の位置制御を行い、所望の位置に移動する。【００８１】
次にステップＳ４０５においてプリキュアを行い、ステップＳ４０６においてキュア容量分のデータを光情報記録媒体に記録する。例えばキュア内に１００ブック、ブック内に３００ページあるとすると、キュア内の先頭ブックに対して角度多重により３００ページ記録したら、次のブックに対して同様に３００ページ記録し、これを１００ブックに対して行うことによりキュア内の全ブックにデータを記録する。【００８２】
次にステップＳ４０７においてポストキュアを行い、ステップＳ４０８においてキュア容量分のデータのベリファイを行う。ベリファイは光情報記録媒体からデータを再生して誤り訂正不能やＣＲＣエラーが発生したらベリファイエラーとする。あるいは誤り訂正不能が発生しなくても、予め定めたエラー数を超えたらベリファイエラーとする。あるいは、光情報記録媒体から再生したデータとメモリ上の元データを比較し、不一致が発生したらベリファイエラーとする。【００８３】
次にステップＳ４０９においてベリファイエラーが発生したかどうかを判定し、記録したデータがベリファイエラーであった場合は、ステップＳ４１０においてメモリ上の元データをコピーし、メモリ上の次のキュアのデータを後ろにシフトして、コピーしたデータをキュアの先頭にペーストして再配置し、ステップＳ４０１に戻る。【００８４】
ステップＳ４０９においてベリファイエラーが発生せず、ステップＳ４１１において全ての記録が完了した場合は処理を終了するが、全ての記録が完了していない場合はステップＳ４０１に戻る。【００８５】
ステップＳ４０１において光情報記録媒体に記録するデータがキュア容量以上ある場合は、ステップＳ４０２においてメモリ上にキュア容量分のデータを配置して誤り訂正符号ＥＣＣを付加する。この時、ステップＳ４１０で配置した箇所の後ろにデータを配置する。【００８６】
ステップＳ４０１において光情報記録媒体に記録するデータがキュア容量に満たない場合は、ステップＳ４０３においてメモリ上にデータを配置し、余った領域には前記データをコピーペーストしてキュア容量分のデータを作成し、誤り訂正符号ＥＣＣを付加する。この時、ステップＳ４１０で配置した箇所の後ろにデータを配置する。【００８７】
次にステップＳ４０４において、光情報記録媒体の所望の位置にデータを記録するために、モータの回転制御およびピックアップやキュア光学系の位置制御を行い、所望の位置に移動する。ここでの所望の位置とは、例えば直前に記録したキュアの隣であり、通常は円周方向あるいは半径方向に順に記録位置を移動させていく。【００８８】
次にステップＳ４０５においてプリキュアを行い、ステップＳ４０６においてキュア容量分のデータを光情報記録媒体に記録する。【００８９】
次にステップＳ４０７においてポストキュアを行い、ステップＳ４０８においてキュア容量分のデータのベリファイを行い、ステップＳ４０９においてベリファイエラーが発生したかどうかを判定する。記録したデータがベリファイエラーであった場合は上記動作を繰り返す。光情報記録媒体に記録するデータがキュア容量に満たず、余った領域に前記データをコピーペーストして記録した場合は、１つのデータが再生できればベリファイエラーなしとする。再生できたデータはベリファイエラーになったデータの交替データとして、管理情報に登録する。【００９０】
ベリファイエラーが発生しなかった場合はステップＳ４１１において全てのデータを記録したかどうかを確認し、まだ記録していないデータがある場合はステップＳ４０１に戻って処理を継続し、ない場合は記録処理を終了する。【００９１】
図５は光情報記録媒体上のキュアおよびブックを示す説明図である。【００９２】
キュア５００は１回のプリキュア、ポストキュアを行う領域を示し、ブック５０１は記録再生を行う領域を示す。データは光情報記録媒体上の回転方向や半径方向にキュア単位領域で順に記録する。【００９３】
データを記録する際にはキュア単位領域でまずプリキュアを行い、次にキュア内のブック単位で順にデータを記録していく。例えばキュア内に１００ブック、ブック内に３００ページあるとすると、キュア内の或るブックに対して角度多重により３００ページ記録したら、次のブックに対して同様に３００ページ記録し、これを１００ブックに対して行うことによりキュア内の全ブックにデータを記録する。次にポストキュアを行い、キュア内のデータのベリファイを行う。【００９４】
ここで例えばｃｕｒｅ１にプリキュアを行い、ｃｕｒｅ１のｂｏｏｋ１〜ｂｏｏｋ１００にデータを記録し、ｃｕｒｅ１にポストキュアを行い、ｃｕｒｅ１のベリファイを行った際に、ｃｕｒｅ１のｂｏｏｋ３に記録したデータがベリファイエラーになったとする。【００９５】
この場合、ｃｕｒｅ１のｂｏｏｋ３に記録したデータをリトライでｃｕｒｅ２のｂｏｏｋ１に再記録する。【００９６】
そして、ｃｕｒｅ２のベリファイを行った際に、例えばｃｕｒｅ２のｂｏｏｋ１がベリファイエラーでない場合、ｂｏｏｋ１を交替データとして光情報記録媒体上の管理領域に登録する。ベリファイエラーだった場合はｃｕｒｅ３のｂｏｏｋ１に再記録する。【００９７】
管理領域にはベリファイエラーとなった欠陥アドレスと交替先アドレスの対応リストを記録し、管理領域は例えば光情報記録媒体の内周に設ける。管理領域のキュア単位領域はユーザデータ領域のキュア単位領域よりも小さくてもよい。【００９８】
図１４は光情報記録媒体の管理領域の配置構成の一例である。光情報記録媒体１４０１は円盤状の記録媒体であり、図はその一部を示したものである。ユーザデータ領域のキュア単位領域１４０２はユーザデータを記録するキュア単位領域であり、管理領域のキュア単位領域１４０３は管理情報を記録するキュア単位領域である。管理領域のキュア単位領域１４０３はユーザデータ領域のキュア単位領域１４０２より小さく、内周に設けている。もちろん管理領域を外周に設けてもよい。このように構成することにより、管理情報のデータの信頼性が向上する。なお、光情報記録媒体１４０１にはホログラフィを用いて全面に渡り情報を記録することができる。なお、本発明では図１４で示した構成に限られず、ベリファイエラーとなった欠陥アドレスと交替先アドレスの対応リストをメモリ１０６等に記録させといてもよい。このように構成することにより、光情報記録媒体上の記録データ効率が向上する。【００９９】
図６は光情報記録再生装置のデータ記録処理とベリファイ処理の動作を示すタイミングチャートである。【０１００】
ｃｕｒｅ１のプリキュアを行い、ｃｕｒｅ１のｂｏｏｋ１からｂｏｏｋ１００まで順に記録処理を行い、ｃｕｒｅ１のポストキュアを行った後にベリファイを行い、ｃｕｒｅ１のｂｏｏｋ３のデータがベリファイエラーになった場合を示している。【０１０１】
次に、位置制御を行い、ｃｕｒｅ２のプリキュアを行い、ｃｕｒｅ２のｂｏｏｋ１からｂｏｏｋ１００まで順に記録を行う際に、ｂｏｏｋ１についてはｃｕｒｅ１のｂｏｏｋ３に記録したデータを再記録する。ベリファイエラーが発生しなければｂｏｏｋ１に記録するはずだったデータはｂｏｏｋ２に記録し、以降全て後ろにずらして記録する。【０１０２】
次に、ｃｕｒｅ２のポストキュアを行った後にベリファイを行い、ｃｕｒｅ２のｂｏｏｋ１がベリファイエラーでなければ、ｂｏｏｋ１を交替データとして登録することを示している。【０１０３】
図７は第１の実施例の光情報記録再生装置のメモリマップの一部であり、図７（ａ）はベリファイエラーが発生しない場合、図７（ｂ）はベリファイエラーが発生した場合の例を示す。【０１０４】
図７（ａ）はｃｕｒｅ１にｄａｔａ１〜ｄａｔａ１００、ｃｕｒｅ２にｄａｔａ１０１〜ｄａｔａ２００、ｃｕｒｅ３にｄａｔａ２０１〜ｄａｔａ３００を配置し、図示していないが以降ｃｕｒｅ７まで同様に配置し、ｃｕｒｅ８にはｄａｔａ８０１〜ｄａｔａ８４９を配置している。記録するデータはｄａｔａ１〜ｄａｔａ８４９であり、ｄａｔａ８４９がデータの終わりである。ｃｕｒｅ８は記録データがキュア容量に満たないためｄａｔａ８０１〜ｄａｔａ８４９を繰り返し配置し、更に端数部分にもｄａｔａ８０１、ｄａｔａ８０２を配置している。各々のｄａｔａはｂｏｏｋに対応しており、この順番に変調して光情報記録媒体に記録する。【０１０５】
図７（ｂ）はｃｕｒｅ１にｄａｔａ１からｄａｔａ１００を配置しているが、このうちｄａｔａ３がベリファイエラーになり、ｃｕｒｅ２の先頭に再びｄａｔａ３を配置した例を示している。ｃｕｒｅ２の先頭に再びｄａｔａ３を配置したため、以降の配置が１ｂｏｏｋずつシフトし、ｃｕｒｅ２にｄａｔａ１０１〜ｄａｔａ１９９、ｃｕｒｅ３にｄａｔａ２００〜ｄａｔａ２９９を配置し、ＥＣＣを付加している。図示していないが以降ｃｕｒｅ７まで同様に配置し、ｃｕｒｅ８にはｄａｔａ８０１〜ｄａｔａ８４９を配置している。ｃｕｒｅ８は記録データがキュア容量に満たないためｄａｔａ８００〜ｄａｔａ８４９を繰り返し配置している。【０１０６】
これにより、例えばｄａｔａ８０１がベリファイエラーになった場合でも、コピーされたｄａｔａ８０１がベリファイエラーで無い場合は、当該データについてリトライデータを作成する必要がないため、記録効率を向上させることができる。【０１０７】
次に、記録データの最後のキュア単位領域（例えば、図７におけるｃｕｒｅ８）のデータにおいて、ベリファイエラーが検出された場合の対応例について説明する。【０１０８】
この場合、同じ場所に多重記録する容量が大きいため、記録するデータが小さい場合は無駄が大きいという課題が考えられる。【０１０９】
この課題を解決する技術として、例えば特開２００９−３０１６２７号公報がある。本公報には「ホログラフィック記録を同じボリュームに対して多重して記録するデータの容量のブックに満たない端数分のデータが記録終了時に発生しても、ホログラフィック記録媒体上ではなく、記録装置の補助記録装置に端数分のデータを記録することができ、追記を行なう時は、補助記録装置から端数分を読み出して追記する入力データと接続して記録するので無駄なくホログラフィック記録媒体にデータの追記記録を行うことが可能となる。」と記載されている。【０１１０】
これに対して、例えば、図４のステップＳ４０３で説明したように、メモリ上にデータを配置し、余った領域には前記データをコピーペーストしてキュア容量分のデータを作成し、誤り訂正符号ＥＣＣを付加する。これにより、データの信頼性が向上する。【０１１１】
また、記録データの最後のキュア単位領域でベリファイエラーが発生した場合は、次に記録するキュアに対してリトライデータだけで記録することになるため、次に記録するキュア単位領域を小さくしてもよい。例えば通常のキュアの１／４あるいは１／９等に小さくして記録すれば、残りの３／４あるいは８／９の領域に次のデータを無駄なく記録できる。あるいは光情報記録媒体の内周、外周側等に小さなキュア単位領域で記録しても良い。また、所定の閾値を設け、次に記録するリトライデータが所定の閾値以下であった場合に、記録するキュア単位領域を小さくする構成としてもよい。【０１１２】
また、通常のキュアの１／４あるいは１／９等に小さくするとともに、当該キュア容量の不足分に前記データをコピーペーストしてキュア容量分のデータを作成してもよい。これにより、データの信頼性と記録効率の向上が図れる。【０１１３】
なお、上記シフトはメモリ上で各ｄａｔａをコピーペーストして移動させるが、実際に移動させずにアドレスをシフトして読み出し、書き込みを行ってもよい。【０１１４】
図１５はメモリ制御回路においてメモリに対するアドレス変換を行うことにより、メモリ上のデータを移動せずに交替データを割り込ませる例を示している。【０１１５】
図７と同様にｃｕｒｅ１にｄａｔａ１からｄａｔａ１００を記録し、このうちｄａｔａ３がベリファイエラーになり、ｃｕｒｅ２の先頭に再びｄａｔａ３を記録するする例を示している。メモリ上のｃｕｒｅ２のｄａｔａ１０１、ｄａｔａ１０２、ｄａｔａ１０３、…のアドレスがＡ、Ｂ、Ｃ、…であり、ｃｕｒｅ１のｄａｔａ３のアドレスがＸだとすると、メモリ制御回路においてアドレスＡをアドレスＸに変換し、アドレスＢ、Ｃ、Ｄ、Ｅ、…をアドレスＡ、Ｂ、Ｃ、Ｄ、…に変換する。これにより光情報記録媒体のｃｕｒｅ２の先頭にはｄａｔａ３が記録され、次にｄａｔａ１０１、ｄａｔａ１０１、…が記録される。ＥＣＣはアドレス変換せずにｃｕｒｅ２の末尾等にそのまま記録する。【０１１６】
以上のようにアドレス変換を行えば、実際にデータをメモリ上でコピーペーストして移動させる必要はない。【０１１７】
また、本実施例では分かり易いようにブック単位でデータを交替する例を示したが、特にブック単位である必要はない。【０１１８】
また、本実施例では分かり易いようにキュア単位で誤り訂正符号を付加する例を示したが、特にキュア単位である必要はない。【０１１９】
また、本実施例では光情報記録再生装置が誤り訂正処理やリトライデータ作成を行う例を示したが、外部制御装置が行ってもよい。【０１２０】
また、ベリファイエラーとなったブックの周辺のブックは信頼性が低い可能性があり、将来的に誤り訂正不能に至る恐れがあるので、当該ブックだけでなく当該ブックの四方あるいは八方のブックに対するリトライデータ作成し、交替してもよい。【０１２１】
以上本発明の第１の実施例によれば、効率よくベリファイ処理をすることが可能となる。【０１２２】
また、記録したデータがベリファイエラーになった場合は、当該データをリトライで次のキュア単位の先頭に割り込ませて記録する。これにより、ベリファイエラーになったデータだけでキュアを占有してリトライを行わず、当該データを次のキュア単位の先頭に割り込ませて記録するため、光情報記録媒体の記録領域の消費を抑えることができる。【０１２３】
また、本実施例によれば、リトライデータが存在するキュア単位領域とベリファイエラーが検出されたデータが存在するキュア単位領域は隣あうため、リトライデータへのアクセス性能が向上する。【０１２４】
また、以上の構成により本発明の第１の実施例では、光情報記録媒体に記録するデータがキュア容量に満たない場合は、余った領域に前記データをコピーペーストしてキュア容量分のデータを記録し、元データがベリファイエラーになった場合はコピーデータを交替登録する。データを同一キュア内に複数記録するため、もしも１つがベリファイエラーになったとしても別のデータを交替登録することができる。【０１２５】
なお、本実施例ではベリファイエラーになったデータを次のキュア単位の先頭に割り込ませて記録する例を説明したが、本発明はこれに限られず、例えば次のキュア単位の最後に割り込ませて記録してもよいし、それ以外であっても構わない。
【実施例２】
【０１２６】
実施例２を説明する。光情報記録再生装置の構成は実施例１と同様であるため説明を省略する。図８は、第２の実施例の光情報記録再生装置のデータ記録処理の動作を示すフローチャートである。ステップＳ８０１〜８０９は図４のステップＳ４０１〜４０９と同様であるため説明を省略する。【０１２７】
ステップＳ８０９においてベリファイエラーが発生したかどうかを判定し、記録したデータがベリファイエラーであった場合は、ステップＳ８１０においてメモリ上の元データをコピーし、メモリ上の次のキュアの複数個所にペーストすると同時に、ペーストした分だけ次のキュアのデータを後ろにシフトすることにより、前記データをキュア内に複数配置し、ステップＳ８０１に戻る。例えば前記データを３箇所に記録すれば、２箇所のデータが再びベリファイエラーになったとしても、１箇所のデータが再生できればそのデータを交替データとして登録することが可能になる。【０１２８】
ステップＳ８０９においてベリファイエラーが発生せず、ステップＳ８１１において全ての記録が完了した場合は処理を終了するが、全ての記録が完了していない場合はステップＳ８０１に戻る。【０１２９】
また、ステップＳ８０９においてベリファイエラーが発生したかどうかを判定し、記録したデータがベリファイエラーであった場合は上記動作を繰り返す。一度ベリファイエラーとなったデータはキュア内に複数記録されているので、１箇所のデータが再生できればベリファイエラーなしとする。光情報記録媒体に記録するデータがキュア容量に満たず、余った領域に前記データをコピーペーストしてキュア容量分のデータを記録した場合も、１つのデータが再生できればベリファイエラーなしとする。再生できたデータはベリファイエラーになったデータの交替データとして、管理情報に登録する。【０１３０】
ベリファイエラーが発生しなかった場合はステップＳ８１１において全てのデータを記録したかどうかを確認し、まだ記録していないデータがある場合はステップＳ８０１に戻って処理を継続し、ない場合は記録処理を終了する。【０１３１】
図９は光情報記録媒体上のキュアおよびブックを示す説明図である。【０１３２】
キュア５００は１回のプリキュア、ポストキュアを行う領域を示し、ブック５０１は記録再生を行う領域を示す。データは光情報記録媒体上の回転方向や半径方向にキュア単位領域で順に記録する。【０１３３】
データを記録する際にはキュア単位領域でまずプリキュアを行い、次にキュア内のブック単位で順にデータを記録していく。次にポストキュアを行い、キュア内のデータのベリファイを行う。【０１３４】
ここで例えばｃｕｒｅ１にプリキュアを行い、ｃｕｒｅ１のｂｏｏｋ１〜ｂｏｏｋ１００にデータを記録し、ｃｕｒｅ１にポストキュアを行い、ｃｕｒｅ１のベリファイを行った際に、ｃｕｒｅ１のｂｏｏｋ３に記録したデータがベリファイエラーになったとする。【０１３５】
この場合、ｃｕｒｅ１のｂｏｏｋ３に記録したデータをｃｕｒｅ２のｂｏｏｋ１、ｂｏｏｋ５０、ｂｏｏｋ１００に再記録する。【０１３６】
そして、ｃｕｒｅ２のベリファイを行った際に、例えばｃｕｒｅ２のｂｏｏｋ１が再びベリファイエラー、ｂｏｏｋ５０、ｂｏｏｋ１００がベリファイエラーでない場合、ｂｏｏｋ５０を交替データとして登録する。【０１３７】
ベリファイエラーになったデータを複数記録するので、全てがベリファイエラーになる確率を低減できる。また、光情報記録媒体の或るブックに欠陥がある時、周辺のブックにも影響があると考えられるため、このように互いに離れた位置に複数記録すれば、全てがベリファイエラーになる確率を更に低減できる。全てがベリファイエラーだった場合はｃｕｒｅ３のｂｏｏｋ１に再記録する。【０１３８】
図１０は光情報記録媒体のデータ記録処理とベリファイ処理の動作を示すタイミングチャートである。【０１３９】
ｃｕｒｅ１のプリキュアを行い、ｃｕｒｅ１のｂｏｏｋ１からｂｏｏｋ１００まで順に記録処理を行い、ｃｕｒｅ１のポストキュアを行った後ベリファイを行い、ｃｕｒｅ１のｂｏｏｋ３がベリファイエラーになった場合を示している。【０１４０】
次に、位置制御を行い、ｃｕｒｅ２のプリキュアを行い、ｃｕｒｅ２のｂｏｏｋ１からｂｏｏｋ１００まで順に記録を行う際に、ｂｏｏｋ１、ｂｏｏｋ５０、ｂｏｏｋ１００についてはｃｕｒｅ１のｂｏｏｋ３に記録したデータを再記録する。ベリファイエラーが発生しなければｂｏｏｋ１に記録するはずだったデータはｂｏｏｋ２に記録し、以降全て後ろにずらして記録する。ベリファイエラーが発生しなければｂｏｏｋ５０に記録するはずだったデータはｂｏｏｋ５２に記録することになる
次に、ｃｕｒｅ２のポストキュアを行った後にベリファイを行い、ｃｕｒｅ２のｂｏｏｋ１がベリファイエラー、ｂｏｏｋ５０、ｂｏｏｋ１００がベリファイエラーでなければ、ｂｏｏｋ５０を交替データとして登録することを示している。【０１４１】
なお、本実施例では分かり易いようにブック単位でデータを交替する例を示したが、特にブック単位である必要はない。【０１４２】
また、本実施例では分かり易いようにキュア単位で誤り訂正符号を付加する例を示したが、特にキュア単位である必要はない。【０１４３】
以上の構成により本発明の第２の実施例では、実施例１と同様の効果を得ることが出来る。【０１４４】
更に、例えばエラー発生確率の高い光情報記録媒体においては、第１の実施例では或るデータがベリファイエラーを繰り返した場合、何キュアにも渡って交替が完了しない可能性があり、その間メモリを占有することになる。第２の実施例ではデータを同一キュア内に複数記録するため、最初にベリファイエラーが発生した次のキュアで交替が完了する確率が高くなり、当該データがいつまでもメモリを占有することを避けることができる。
【実施例３】
【０１４５】
実施例３を説明する。光情報記録再生装置の構成は実施例１と同様であるため説明を省略する。図１１は、第３の実施例の光情報記録再生装置のデータ記録処理の動作を示すフローチャートである。ステップＳ１１０１〜１１０９は図４のステップＳ４０１〜４０９と同様であるため説明を省略する。【０１４６】
ステップＳ１１０９においてベリファイエラーが発生したかどうかを判定し、記録したデータがベリファイエラーであった場合は、ステップＳ１１１１においてメモリ上の元データをコピーし、メモリ上の次のキュアの複数個所にペーストすることにより、前記データをキュア内に複数配置し、ステップＳ１１０１に戻る。例えば前記データを３箇所に記録すれば、２箇所のデータが再びベリファイエラーになったとしても、１箇所のデータが再生できればそのデータを交替データとして登録することが可能になる。【０１４７】
なお、ステップＳ１１１１において前記データをキュア内に複数配置する前に、ステップＳ１１１０において複数記録するデータの数を調整するが、これについては後述する。【０１４８】
ステップＳ１１０９においてベリファイエラーが発生せず、ステップＳ１１１４において全ての記録が完了した場合は処理を終了するが、全ての記録が完了していない場合はステップＳ１１０１に戻る。【０１４９】
なお、ステップＳ１１１４において全ての記録が完了したかどうか判定する前に、ステップＳ１１１２、ステップＳ１１１３においてベリファイエラー検出時に複数記録するデータの数を調整するが、これについても後述する。【０１５０】
また、ステップＳ１１０９においてベリファイエラーが発生したかどうかを判定し、一度ベリファイエラーとなったデータはキュア内に複数記録されているので、１箇所のデータが再生できればベリファイエラーなしとする。光情報記録媒体に記録するデータがキュア容量に満たず、余った領域に前記データをコピーペーストしてキュア容量分のデータを記録した場合も、１つのデータが再生できればベリファイエラーなしとする。再生できたデータはベリファイエラーになったデータの交替データとして、管理情報に登録する。【０１５１】
ステップＳ１１０９においてベリファイエラーが発生しなかった場合はステップＳ１１１２においてリトライデータが全てエラーなし、すなわち全てが再生できたかどうかを判定し、全てエラーなしの場合はステップＳ１１１３においてエラー発生時に複数記録するデータの数を減らす。ただし、データの数が１以下になる場合は１とする。あるいは最低データ数を予め定めてもよい。【０１５２】
次にステップＳ１１１４において全てのデータを記録したかどうかを確認し、まだ記録していないデータがある場合はステップＳ１１０１に戻って処理を継続し、ない場合は記録処理を終了する。【０１５３】
ステップＳ１１０９においてベリファイエラーが発生した場合は、リトライデータが全てエラー、すなわち再リトライが必要ということであり、ステップＳ１１１０においてエラー発生時に複数記録するデータの数を増やす。ただし、データの数は予め定めた最大データ数を超えないようにする。【０１５４】
次にステップＳ１１１１において前記データをコピーし、メモリ上のキュアの複数個所にペーストすることにより、前記データをキュア内に複数配置し、ステップＳ１１０１に戻り、処理を継続する。【０１５５】
以上の構成により本発明の第３の実施例では、実施例２と同様の効果を得ることが出来る。【０１５６】
更に、光情報記録媒体のエラー発生確率に応じて複数記録するデータの数を自動的に切り替える機能を有するため、光情報記録媒体の記録容量が必要以上に低減しないように制御でき、第２の実施例に比べて光情報記録媒体の記録領域の消費を抑えることができる。
【実施例４】
【０１５７】
実施例４を説明する。光情報記録再生装置の構成は実施例１と同様であるため説明を省略する。図１２は、本発明の第４の実施例の光情報記録再生装置のデータ記録処理の動作を示すフローチャートである。ステップＳ１２０１〜１２０７は図４のステップＳ４０１〜４０７と同様であるため説明を省略する。【０１５８】
ステップＳ１２０７においてポストキュアを行い、ステップＳ１２０８においてユーザデータの記録が完了したかどうかを判定し、記録が完了していない場合はステップＳ１２０１に戻り、記録が完了するまでステップＳ１２０１〜ステップＳ１２０８の処理を繰り返す。【０１５９】
なお、本実施例では一旦全てのデータを記録してからベリファイを行うため、前記データをユーザデータと呼び、その後のリトライで記録するデータをリトライデータと呼ぶ。【０１６０】
記録が完了した場合は、ステップＳ１２０９において全記録分のベリファイを行い、ステップＳ１２１０においてベリファイエラーが発生したかどうかを判定する。【０１６１】
記録したユーザデータがベリファイエラーでない場合は処理を終了し、ベリファイエラーの場合はステップＳ１２１１において光情報記録媒体に記録するリトライデータがキュア容量以上あるかどうかを判定し、キュア容量以上ある場合は、ステップＳ１２１２においてメモリ上にキュア容量分のリトライデータを配置して誤り訂正符号ＥＣＣを付加する。【０１６２】
ステップＳ１２１１において光情報記録媒体に記録するデータがキュア容量に満たない場合は、ステップＳ１２１３においてメモリ上にリトライデータを配置し、余った領域には前記リトライデータをコピーペーストしてキュア容量分のデータを作成し、誤り訂正符号ＥＣＣを付加する。【０１６３】
次にステップＳ１２１４において、光情報記録媒体の所望の位置にリトライデータを記録するために、ピックアップやキュア光学系の位置制御を行い、所望の位置に移動する。【０１６４】
次にステップＳ１２１５においてプリキュアを行い、ステップＳ１２１６においてキュア容量分のリトライデータを光情報記録媒体に記録する。【０１６５】
次にステップＳ１２１７においてポストキュアを行い、ステップＳ１２１８においてキュア容量分のリトライデータのベリファイを行う。【０１６６】
次にステップＳ１２１９においてベリファイエラーが発生したかどうかを判定し、記録したリトライデータがベリファイエラーでない場合は、ステップＳ１２２１において記録が完了したかどうかを判定し、記録が完了していない場合はステップＳ１２１１に戻り、記録が完了するまでステップＳ１２１１〜ステップＳ１２２１の処理を繰り返す。【０１６７】
また、ステップＳ１２１９において記録したリトライデータがベリファイエラーであった場合は、ステップＳ１２２０においてメモリ上の元データをコピーし、メモリ上の次のキュアの複数個所にペーストすることにより、前記データをキュア内に複数配置し、ステップＳ１２１０に戻る。なお、複数個所にペーストせずに１箇所にペーストしてもよい。【０１６８】
以上の構成により本発明の第４の実施例では、効率的なベリファイ処理が可能となる。【０１６９】
また、記録したユーザデータがベリファイエラーになった場合は、当該データを予めメモリ上に用意したリトライ用キュアにリトライデータとして蓄積していき、ユーザデータの記録終了時にまとめて再記録する。このため、例えば内周や外周に交替領域を用意し、この交替領域に記録することができる。【０１７０】
なお、再記録するリトライデータがキュア容量に満たない場合はコピーペーストして１キュア容量にして記録してもよい。【０１７１】
また、記録されるユーザーデータの最後のキュア単位領域において、データがキュア容量に満たない場合は、その余りの部分に、メモリに蓄積されたリトライデータを記録してもよい。これにより、より記録効率を高めることが出来る。
【実施例５】
【０１７２】
実施例５を説明する。光情報記録再生装置の構成は実施例１と同様であるため説明を省略する。図１３は、本発明の第５の実施例の光情報記録再生装置のデータ記録処理の動作を示すフローチャートである。【０１７３】
まずステップＳ１３０１において光情報記録媒体に記録するデータがキュア容量以上あるかどうかを判定し、キュア容量以上ある場合は、ステップＳ１３０２においてメモリ上にキュア容量分のデータを配置して誤り訂正符号ＥＣＣを付加する。なお、メモリには予め光情報記録媒体に記録するデータを用意しておく。【０１７４】
ステップＳ１３０１において光情報記録媒体に記録するデータがキュア容量に満たない場合は、ステップＳ１３０３においてメモリ上にデータを配置し、余った領域には前記データをコピーペーストしてキュア容量分のデータを作成し、誤り訂正符号ＥＣＣを付加する。【０１７５】
次にステップＳ１３０４において、光情報記録媒体の所望の位置にデータを記録するために、ピックアップやキュア光学系の位置制御を行い、所望の位置に移動する。【０１７６】
次にステップＳ１３０５においてプリキュアを行い、ステップＳ１３０６においてキュア容量分のデータを光情報記録媒体に記録する。【０１７７】
次にステップＳ１３０７においてポストキュアを行い、ステップＳ１３０８においてキュア容量分のデータのベリファイを行う。【０１７８】
次にステップＳ１３０９においてベリファイエラーが発生したかどうかを判定し、記録したデータがベリファイエラーでない場合は、ステップＳ１３１０において記録が完了したかどうかを判定し、記録が完了していない場合はステップＳ１３０１に戻り、記録が完了するまでステップＳ１３０１〜ステップＳ１３１０の処理を繰り返す。【０１７９】
また、ステップＳ１３０９において記録したデータがベリファイエラーであった場合は、ステップＳ１３１１においてメモリ上の元データをコピーし、予めメモリ上に用意したリトライ用キュアに順にペーストする。【０１８０】
次にステップＳ１３１２においてリトライ用キュアに１キュア分蓄積されたかどうかを判定し、１キュア分蓄積されていない場合は、ステップＳ１３０１に戻り、ステップＳ１３０１〜ステップＳ１３１０の処理を繰り返す。【０１８１】
１キュア分蓄積された場合は、ステップＳ１３１３において誤り訂正符号ＥＣＣを付加する。【０１８２】
次にステップＳ１３１４において、光情報記録媒体の所望の位置にデータを記録するために、ピックアップやキュア光学系の位置制御を行い、所望の位置に移動する。【０１８３】
次にステップＳ１３１５においてプリキュアを行い、ステップＳ１３１６においてキュア容量分のデータを光情報記録媒体に記録する。【０１８４】
次にステップＳ１３１７においてポストキュアを行い、ステップＳ１３１８においてキュア容量分のデータのベリファイを行う。【０１８５】
次にステップＳ１３１９においてベリファイエラーが発生したかどうかを判定し、記録したデータがベリファイエラーであった場合は、ステップＳ１３１４に戻り、ベリファイエラーがなくなるまでステップＳ１３１４〜ステップＳ１３１９の処理を繰り返す。【０１８６】
記録したデータがベリファイエラーでない場合は、ステップＳ１３０１に戻り、ステップＳ１３０１〜ステップＳ１３１０の処理を繰り返す。【０１８７】
ステップＳ１３１０においてユーザデータの記録が完了したかどうかを判定し、記録が完了した場合は、ステップＳ１３２０においてメモリ上の前記リトライ用キュアが空かどうかを判定し、リトライ用キュアが空、すなわち記録すべきリトライデータがない場合は処理を終了する。リトライ用キュアが空でない、すなわち記録すべきリトライデータがある場合は、ステップＳ１３２１にて１キュアになるようにリトライデータをコピーしてペーストし、誤り訂正符号ＥＣＣを付加する。【０１８８】
次にステップＳ１３２２において、光情報記録媒体の所望の位置にデータを記録するために、ピックアップやキュア光学系の位置制御を行い、所望の位置に移動する。【０１８９】
次にステップＳ１３２３においてプリキュアを行い、ステップＳ１３２４においてキュア容量分のデータを光情報記録媒体に記録する。【０１９０】
次にステップＳ１３２５においてポストキュアを行い、ステップＳ１３２６においてキュア容量分のデータのベリファイを行う。【０１９１】
次にステップＳ１３２７においてベリファイエラーが発生したかどうかを判定し、記録したデータがベリファイエラーでない場合は処理を終了し、ベリファイエラーの場合はステップＳ１３２２に戻り、ベリファイエラーでなくなるまでステップＳ１３２２〜ステップＳ１３２７の処理を繰り返す。【０１９２】
以上の構成により本発明の第５の実施例では、光情報記録媒体に記録するデータがキュア容量に満たない場合は、余った領域に前記データをコピーペーストしてキュア容量分のデータを記録し、元データがベリファイエラーになった場合はコピーデータを交替登録する。データを同一キュア内に複数記録するため、もしも１つがベリファイエラーになったとしても別のデータを交替登録することができる。【０１９３】
また、記録したユーザデータがベリファイエラーになった場合は、当該データを予めメモリ上に用意したリトライ用キュアにリトライデータとして蓄積していき、１キュア容量溜まった時点でまとめて再記録する。このため、例えば内周や外周に交替領域を用意し、この交替領域に記録することができる。【０１９４】
なお、再記録データがキュア容量に満たない場合はコピーペーストして１キュア容量にして記録する。【０１９５】
更に、１キュア容量溜まった時点で再記録するため、本発明の第４の実施例よりメモリの占有領域を削減することができる。
【実施例６】
【０１９６】
実施例６を説明する。光情報記録再生装置の構成は実施例１と同様であるため説明を省略する。図１６は光情報記録媒体上のキュアおよびブックを示す説明図である。【０１９７】
キュア５００は１回のプリキュア、ポストキュアを行う領域を示し、ブック５０１は記録再生を行う領域を示す。データは光情報記録媒体上の回転方向や半径方向にキュア単位で順に記録する。【０１９８】
データを記録する際にはキュア単位領域でまずプリキュアを行い、次にキュア内のブック単位で順にデータを記録していく。例えばキュア内に１００ブック、ブック内に３００ページあるとすると、キュア内の或るブックに対して角度多重により３００ページ記録したら、次のブックに対して同様に３００ページ記録し、これを１００ブックに対して行うことによりキュア内の全ブックにデータを記録する。次にポストキュアを行い、キュア内のデータのベリファイを行う。【０１９９】
ここで例えばｃｕｒｅ１にプリキュアを行い、ｃｕｒｅ１のｂｏｏｋ１〜ｂｏｏｋ１００にデータを記録し、ｃｕｒｅ１にポストキュアを行い、ｃｕｒｅ１のベリファイを行った際に、ｃｕｒｅ１のｂｏｏｋ３に記録したデータの内、１００ページがベリファイエラーになったとする。また、ｃｕｒｅ１のｂｏｏｋ４８に記録したデータの内、１００ページがベリファイエラーになったとする。また、ｃｕｒｅ１のｂｏｏｋ７７に記録したデータの内、１００ページがベリファイエラーになったとする。【０２００】
この場合、ｃｕｒｅ１のｂｏｏｋ３、ｂｏｏｋ４８、ｂｏｏｋ７７に記録したデータの内、ベリファイエラーになった分をリトライでｃｕｒｅ２のｂｏｏｋ１に再記録する。【０２０１】
そして、ｃｕｒｅ２のベリファイを行った際に、例えばｃｕｒｅ２のｂｏｏｋ１がベリファイエラーでない場合、ｂｏｏｋ１を交替データとして光情報記録媒体上の管理領域に登録する。【０２０２】
以上の構成により本発明の第６の実施例では、ブック単位ではなく、ページ単位で発生したベリファイエラーをブック単位にまとめて記録するため、第１の実施例より更に光情報記録媒体の記録領域の消費を抑えることができる。【０２０３】
なお、ページ単位で発生したベリファイエラーのリトライデータでブック単位に満たない場合は、ブック単位の不足分にリトライデータのコピーをしてもよい。これにより、さらに、情報の信頼性が向上する。
【実施例７】
【０２０４】
図１７は、本発明の第７の実施例のデータライブラリ装置の構成を示すブロック図である。データライブラリ装置１７０１は、サーバ１７０２を介してネットワーク１７０３からハードディスク１７０４に蓄積されたデータを光情報記録媒体に記録する。あるいは光情報記録媒体からデータを再生し、サーバ１７０２を介してネットワーク１７０３に送る。サーバ１７０２は、ハードディスク１７０４とデータライブラリ装置１７０１を制御してネットワーク１７０３から送られたデータを管理する。ハードディスク１７０４は、サーバ１７０２に制御されてネットワーク１７０３から送られたデータの記録再生を行う。【０２０５】
光情報記録媒体１０１は、データライブラリ装置１７０１に複数枚格納されており、光情報記録媒体交換装置１７０６により選択され、光情報記録再生装置１００、１２０、１２１、１２２に装着され、データが記録再生される。光情報記録再生装置１００、１２０、１２１、１２２は、ライブラリ装置制御回路１７０５に制御されて、光情報記録媒体１０１にデータを記録再生する。光情報記録媒体交換装置１７０６は、ライブラリ装置制御回路１７０５に制御されて、光情報記録再生装置１００、１２０、１２１、１２２に装着する光情報記録媒体を交換する。【０２０６】
ライブラリ装置制御回路１７０５は、サーバ１７０２からの要求により、光情報記録媒体交換装置１７０６を制御して複数枚の光情報記録媒体から所望の光情報記録媒体を選択し、光情報記録再生装置１００、１２０、１２１、１２２に送る。【０２０７】
データライブラリ装置１７０１は複数台の光情報記録再生装置を内蔵しており、複数枚の光情報記録媒体に同時に記録再生できるため、高速にデータを記録再生することが可能である。【０２０８】
例えば光情報記録再生装置１００、１２０、１２１、１２２に各々光情報記録媒体を装着し、光情報記録再生装置１００、１２０、１２１により同時にデータを記録する。この時、光情報記録再生装置は３台並列に動作するので、１台の３倍の速度でデータを記録することができる。【０２０９】
そして、同時にベリファイを行い、ベリファイエラーが発生したら、各光情報記録再生装置からリトライデータを集め、光情報記録再生装置１２２により光情報記録媒体に記録する。光情報記録再生装置の１台をリトライ専用とし、ベリファイエラーが発生したら１台がまとめてリトライを行うため、データライブラリ装置全体の転送レートが低下しない。【０２１０】
以上の構成により本発明の第７の実施例では、記録したデータがベリファイエラーになった場合は、当該データをリトライ専用の光情報記録再生装置がまとめて記録するため、データライブラリ装置の転送レートの低下を防ぐことができる。【０２１１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。【０２１２】
また、本発明は角度多重方式に限られず、シフト多重方式などにも適用することができる。また、上記実施例では、追記型の光情報記録媒体を前提として説明したが、キュア処理を行なっても書き換えできる媒体、装置などが実現できれば、書き換え型の光情報記録媒体を用いても構わない。【０２１３】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード等の記録媒体に置くことができる。【０２１４】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０２１５】
Ｓ４０１…記録データ容量判定処理
Ｓ４０２…キュア配置およびＥＣＣ付加処理
Ｓ４０３…キュア配置、コピーペーストおよびＥＣＣ付加処理
Ｓ４０４…位置制御処理
Ｓ４０５…プリキュア処理
Ｓ４０６…キュア容量分記録処理
Ｓ４０７…ポストキュア処理
Ｓ４０８…キュア容量分ベリファイ処理
Ｓ４０９…ベリファイエラー判定処理
Ｓ４１０…キュア再配置処理
Ｓ４１１…記録完了判定処理
【図１】
0005857074.tif 000002
【図２】
0005857074.tif 000003
【図３】
0005857074.tif 000004
【図４】
0005857074.tif 000005
【図５】
0005857074.tif 000006
【図６】
0005857074.tif 000007
【図７】
0005857074.tif 000008
【図８】
0005857074.tif 000009
【図９】
0005857074.tif 000010
【図１０】
0005857074.tif 000011
【図１１】
0005857074.tif 000012
【図１２】
0005857074.tif 000013
【図１３】
0005857074.tif 000014
【図１４】
0005857074.tif 000015
【図１５】
0005857074.tif 000016
【図１６】
0005857074.tif 000017
【図１７】
0005857074.tif 000018